(57)【要約】【課題】ＣＭスキップモードが実行された場合でも、スポンサーが視聴者に訴求することが可能な映像記録再生装置を提供する。【解決手段】このＨＤＤ内蔵ＤＶＤレコーダ１は、録画時に、選択されたテレビ番組と、そのテレビ番組のＣＭに関連するＣＭ情報を録画し、ＣＭスキップモード時には、テレビ番組のＣＭ映像をスキップして番組映像のみをＴＶモニタ１３に表示するとともに、スキップされるＣＭ映像に関連するＣＭ情報をレコーダ１本体前面の表示画面６ａに表示する。したがって、スポンサーは、表示画面６ａのＣＭ情報によって視聴者に訴求できる。【選択図】図２
2007116417.tif 000002
【特許請求の範囲】
【請求項１】
受信したテレビ番組をハードディスクに録画するとともに、録画したテレビ番組を前記ハードディスクから読み出して再生し、モニタ装置に表示させる映像記録再生装置において、
前記映像記録再生装置の本体の前面に設けられた表示画面と、
前記ハードディスクに録画したテレビ番組のうちのＣＭ映像をスキップして番組映像を再生するＣＭスキップモード時に、スキップされるＣＭ映像に関連するＣＭ情報を前記表示画面に表示する制御部を備えたことを特徴とする、映像記録再生装置。  
【請求項２】
録画したテレビ番組のうちのＣＭ映像をスキップして番組映像を再生するＣＭスキップモードを有する映像記録再生装置において、
前記映像記録再生装置の本体に設けられた表示画面と、  
前記ＣＭスキップモード時に、スキップされるＣＭ映像に関連するＣＭ情報を前記表示画面に表示する制御部を備えたことを特徴とする、映像記録再生装置。  
【請求項３】
前記テレビ番組を放送するチャンネルとは別に前記ＣＭ映像に関連するＣＭ情報を放送するチャンネルが設けられ、
前記制御部は、前記テレビ番組の録画時に前記ＣＭ情報も録画し、前記ＣＭスキップモード時は、録画した前記ＣＭ情報のうちの少なくとも一部を前記表示画面に表示することを特徴とする、請求項２に記載の映像記録再生装置。  
【請求項４】
前記テレビ番組とともに前記ＣＭ情報のインターネットアドレスも放送され、
前記制御部は、前記テレビ番組の録画時に前記ＣＭ情報のインターネットアドレスも記録し、前記ＣＭスキップモード時は、記録したインターネットアドレスから取得した前記ＣＭ情報を前記表示画面に表示することを特徴とする、請求項２に記載の映像記録再生装置。
【発明の詳細な説明】
【技術分野】
【０００１】
この発明は映像記録再生装置に関し、特に、録画したテレビ番組のうちのＣＭ映像をスキップして番組映像を再生するＣＭスキップモードを有する映像記録再生装置に関する。
【背景技術】
【０００２】
ＨＤＤ（Hard Disk Drive)内蔵ＤＶＤ(Digital Versatile Disk)レコーダ、ＶＴＲ（Video Tape Recorder)などの映像記録再生装置のユーザは、録画したテレビ番組を再生して視聴する際、番組映像のみを視聴し、ＣＭ（コマーシャル）映像をスキップしたり早送りする場合が多い。そこで、録画したテレビ番組のうちのＣＭ映像を自動的にスキップして番組映像を再生するＣＭスキップモードを有する映像記録再生装置が提案された（特許文献１参照）。
【特許文献１】特開２００３−３１９３１４号公報
【発明の開示】
【発明が解決しようとする課題】
【０００３】
しかし、従来の映像記録再生装置では、ＣＭスキップモードが実行されると、テレビ番組のスポンサーが視聴者に全く訴求できなくなるという問題があった。
【０００４】
それゆえに、この発明の主たる目的は、ＣＭスキップモードが実行された場合でも、スポンサーが視聴者に訴求することが可能な映像記録再生装置を提供することである。
【課題を解決するための手段】
【０００５】
この発明に係る映像記録再生装置は、受信したテレビ番組をハードディスクに録画するとともに、録画したテレビ番組をハードディスクから読み出して再生し、モニタ装置に表示させる映像記録再生装置において、映像記録再生装置の本体の前面に設けられた表示画面と、ハードディスクに録画したテレビ番組のうちのＣＭ映像をスキップして番組映像を再生するＣＭスキップモード時に、スキップされるＣＭ映像に関連するＣＭ情報を表示画面に表示する制御部を備えたことを特徴とする。
【０００６】
また、この発明に係る映像記録再生装置は、録画したテレビ番組のうちのＣＭ映像をスキップして番組映像を再生するＣＭスキップモードを有する映像記録再生装置において、映像記録再生装置の本体に設けられた表示画面と、ＣＭスキップモード時に、スキップされるＣＭ映像に関連するＣＭ情報を表示画面に表示する制御部を備えたことを特徴とする。
【０００７】
好ましくは、テレビ番組を放送するチャンネルとは別にＣＭ映像に関連するＣＭ情報を放送するチャンネルが設けられ、制御部は、テレビ番組の録画時にＣＭ情報も録画し、ＣＭスキップモード時は、録画したＣＭ情報のうちの少なくとも一部を表示画面に表示する。
【０００８】
また好ましくは、テレビ番組とともにＣＭ情報のインターネットアドレスも放送され、制御部は、テレビ番組の録画時にＣＭ情報のインターネットアドレスも記録し、ＣＭスキップモード時は、インターネットから取得したＣＭ情報を表示画面に表示する。
【発明の効果】
【０００９】
この発明に係る映像記録再生装置では、装置の本体に表示画面を設け、ＣＭスキップモード時に、スキップされるＣＭ映像に関連するＣＭ情報を表示画面に表示する。したがって、ＣＭスキップモードが実行された場合でも、スポンサーは表示画面のＣＭ情報によって視聴者に訴求することができる。
【発明を実施するための最良の形態】
【００１０】
[実施の形態１]
図１は、この発明の実施の形態１によるＨＤＤ内蔵ＤＶＤレコーダ１の構成を示すブロック図である。図１において、このＨＤＤ内蔵ＤＶＤレコーダ１は、チューナ２，３、ＨＤＤ装置４、ＤＶＤ駆動装置５、表示部６、受光部７、操作部８および制御部９を備え、リモコン１０による操作が可能となっている。
【００１１】
チューナ２は、アンテナ１１を介してテレビ放送の電波を受信し、レコーダ１のユーザである視聴者によって選択されたチャンネルのテレビ番組の映像信号を受信電波から抽出し、抽出した映像信号を制御部６に与える。チューナ２は、アンテナ１２を介してＣＭ情報放送の電波を受信し、視聴者によって選択されたチャンネルに対応するＣＭ情報チャンネルの情報信号を受信電波から抽出し、抽出した情報信号を制御部６に与える。
【００１２】
ＨＤＤ装置４は、ハードディスクを含み、録画時には制御部６から与えられた映像信号、情報信号などをハードディスクに記録し、再生時にはハードディスクに記録した信号を読み出して制御部９に与える。ＤＶＤ駆動装置５は、録画時にはセットされたＤＶＤに制御部９から与えられた映像信号などを書込み、再生時にはＤＶＤの記録信号を読み出して制御部９に与える。
【００１３】
表示部６は、レコーダ１本体の前面に設けられた表示画面を含み、ＣＭスキップモード時にスキップされるＣＭに関連するＣＭ情報、視聴者によって選択されたチャンネル番号、時刻などを表示する。リモコン１０は、種々のボタン、キーを含み、視聴者によって操作されたボタン、キーなどに応じた光信号を出射する。受光部７は、リモコン１０から出射された光信号を光電変換して制御信号を生成し、その制御信号を制御部９に与える。操作部８は、種々のキー、ボタンを含み、視聴者によって操作されたボタン、キーなどに応じた制御信号を生成し、その制御信号を制御部９に与える。視聴者は、リモコン１０あるいは操作部８を操作して、チャンネルの選択、録画、予約録画、再生、ＣＭスキップモードの設定などを行なうことができる。
【００１４】
制御部９は、リモコン１０から受光部７を介して与えられる制御信号や操作部８から与えられる制御信号に従って、レコーダ１全体を制御する。具体的には、制御部９は、チューナ２から与えられた映像信号をＴＶモニタ１３に与えてテレビ番組を表示させる。また、制御部９は、記録時には、チューナ２，３から与えられた映像信号および情報信号をＨＤＤ装置４に与え、ハードディスクに記録させる。また、制御部９は、再生時には、視聴者によって選択されたテレビ番組、映画などの映像信号をＨＤＤ装置４またはＤＶＤ駆動装置５から読み出し、その映像信号をＴＶモニタ１３に与えてテレビ番組、映画などを表示させる。
【００１５】
また、制御部９は、再生時におけるＣＭスキップモード時には、視聴者によって選択されたテレビ番組の番組映像の映像信号をＨＤＤ装置４から読出し、その映像信号をＴＶモニタ１３に与えてテレビ番組のうちの番組映像のみを表示させるとともに、そのテレビ番組のＣＭに対応する情報信号をＨＤＤ装置４から読出し、その情報信号を表示部６に与えてＣＭ情報を表示させる。また、制御部９は、ＨＤＤ装置４に記録された信号のうちの視聴者によって選択された信号をＤＶＤ駆動装置５に与えてＤＶＤに記録させる。また、制御部９は、ＤＶＤに記録された信号のうちの視聴者によって選択された信号をＨＤＤ装置４に与えてハードディスクに記録させる。
【００１６】
図２は、このＨＤＤ内蔵ＤＶＤレコーダ１の動作を説明するための図である。図２において、レコーダ１の本体の前面には、表示部６の表示画面６ａや、操作部８に含まれる種々のボタン８ａなどが設けられている。テレビ放送局（図示せず）から放送衛星１５を介して送信される電波はアンテナ１１によって受信され、ＣＭ情報放送局１６から送信される電波はアンテナ１２によって受信される。録画時には、視聴者によって選択されたチャンネルのテレビ番組の映像信号が受信電波から抽出されてＨＤＤ装置４に記録されるとともに、そのチャンネルに対応するＣＭ情報チャンネルの情報信号が受信電波から抽出されてＨＤＤ装置４に記録される。
【００１７】
記録したテレビ番組をＣＭスキップモードで再生する場合は、そのテレビ番組のうちの番組映像の映像信号がハードディスク装置４から読み出されてＴＶモニタ１３に与えられるとともに、そのテレビ番組のＣＭに対応する情報信号がＨＤＤ装置４から読み出されて表示部６に与えられる。これにより、ＴＶモニタ１３にはテレビ番組のうちのＣＭ映像がスキップされて番組映像のみが表示され、レコーダ１の表示画面６ａにはそのテレビ番組のＣＭに関連するＣＭ情報が表示される。
【００１８】
この実施の形態１では、レコーダ１の本体の前面に表示画面６ａを設け、ＣＭスキップモード時に、スキップされるＣＭ映像に関連するＣＭ情報を表示画面６ａに表示する。したがって、ＣＭスキップモードが実行された場合でも、スポンサーが視聴者に訴求することができる。
【００１９】
[実施の形態２]
図３は、この発明の実施の形態２によるＨＤＤ内蔵ＤＶＤレコーダ２０の構成を示すブロック図であって、図１と対比される図である。図３において、このＨＤＤ内蔵ＤＶＤレコーダ２０が図１のＨＤＤ内蔵ＤＶＤレコーダ１と異なる点は、チューナ３が通信部２１で置換されている点である。通信部２１は、制御部９から与えられたインターネットアドレスのＣＭ情報をインターネットから取得して制御部９に与える。
【００２０】
テレビ番組の映像信号には、そのテレビ番組のＣＭのインターネットアドレスが重畳されている。制御部９は、記録時には、チューナ２から与えられた映像信号およびインターネットアドレスをＨＤＤ装置４に与え、ハードディスクに記録させる。制御部９は、ＣＭスキップモード時には、視聴者によって選択されたテレビ番組の番組映像の映像信号をＨＤＤ装置４から読出し、その映像信号をＴＶモニタ１３に与えてテレビ番組のうちの番組映像のみを表示させるとともに、そのテレビ番組のＣＭに対応するインターネットアドレスをＨＤＤ装置４から読出し、そのインターネットアドレスを通信部２１に与えてＣＭ情報を取得させ、そのＣＭ情報を表示部６に表示させる。
【００２１】
図４は、このＨＤＤ内蔵ＤＶＤレコーダ２０の動作を説明するための図である。図４において、レコーダ２０の本体の前面には、表示部６の表示画面６ａや、操作部８に含まれる種々のボタン８ａなどが設けられている。テレビ放送局（図示せず）から放送衛星１５を介して送信される電波はアンテナ１１によって受信される。録画時には、視聴者によって選択されたチャンネルのテレビ番組の映像信号が受信電波から抽出されてＨＤＤ装置４に記録されるとともに、そのテレビ番組のＣＭに対応するインターネットアドレスがその映像信号から抽出されてＨＤＤ装置４に記録される。
【００２２】
記録したテレビ番組をＣＭスキップモードで再生する場合は、そのテレビ番組のうちの番組映像の映像信号がＨＤＤ装置４から読み出されてＴＶモニタ１３に与えられるとともに、そのテレビ番組のＣＭに対応するＣＭ情報がインターネット２２から取得されて表示部６に与えられる。これにより、ＴＶモニタ１３にはテレビ番組のうちのＣＭ映像がスキップされて番組映像のみが表示され、レコーダ２０の表示画面６ａにはそのテレビ番組のＣＭに関連するＣＭ情報が表示される。
【００２３】
この実施の形態２でも、実施の形態１と同じ効果が得られる。
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００２４】
【図１】この発明の実施の形態１によるＨＤＤ内蔵ＤＶＤレコーダの構成を示すブロック図である。
【図２】図１に示したＨＤＤ内蔵ＤＶＤレコーダの動作を説明するための図である。
【図３】この発明の実施の形態２によるＨＤＤ内蔵ＤＶＤレコーダの構成を示すブロック図である。
【図４】図３に示したＨＤＤ内蔵ＤＶＤレコーダの動作を説明するための図である。
【符号の説明】
【００２５】
１，２０  ＨＤＤ内蔵ＤＶＤレコーダ、２，３  チューナ、４  ＨＤＤ装置、５  ＤＶＤ駆動装置、６  表示部、６ａ  表示画面、７  受光部、８  操作部、８ａ  ボタン、９  制御部、１０  リモコン、１１，１２  アンテナ、１３  ＴＶモニタ、１５  放送衛星、１６  ＣＭ情報放送局、２１  通信部、２２  インターネット。
【図１】
2007116417.tif 000003
【図２】
2007116417.tif 000004
【図３】
2007116417.tif 000005
【図４】
2007116417.tif 000006